(57)【特許請求の範囲】
【請求項１】
上紙片と下紙片とが折目線を介して連接された紙片を前記折目線にて２つ折りして前記上紙片と前記下紙片とを剥離可能に接着して形成された見開き葉書において、前記下紙片の前記折目線と対向する端縁に沿つて前記端縁より所定距離内側の位置に複数の切込が形成されると共に、前記切込が形成された領域の内側が開封線とされていることを特徴とする見開き葉書。
【請求項２】
前記開封線が前記下紙片に形成された開封用ミシン目であることを特徴とする請求項１記載の見開き葉書。
【請求項３】
上紙片と中紙片と下紙片とがそれぞれ折目線を介して連接された紙片を前記折目線にてＺ状に３つ折りして前記上紙片と前記中紙片間ないし前記中紙片と前記下紙片間の少なくとも一方を剥離可能に接着して形成された見開き葉書において、前記上紙片ないし前記下紙片の少なくとも一方の紙片の前記折目線と対向する端縁に沿つて前記端縁より所定距離内側の位置に複数の切込が形成されると共に、前記切込が形成された領域の内側に開封用ミシン目が形成されていることを特徴とする見開き葉書。
【請求項４】
複数の前記切込が紙片の重合面側から形成されたハーフカツトであることを特徴とする請求項１、２、３記載の見開き葉書。
【発明の詳細な説明】
【０００１】
【発明の属する技術分野】
本発明は見開き葉書に関する。
【０００２】
【従来の技術】
従来、見開き葉書としては、２つ折りないしはＺ状に３つ折りして下紙片と該下紙片と重合する紙片面間を剥離可能に接着した構成からなり、剥離可能に接着した紙片面に隠蔽すべき情報をプリントしておき、下紙片を剥離して見開くことにより隠蔽情報を見るようにされている。しかしながら、上記構成の見開き葉書においては、下紙片を折目と対向する端縁から容易に剥離して開くことができるため、郵送中に故意に見開き葉書を見開いて隠蔽情報をみることができるので、情報の親展性が損なわれるという欠点があつた。
【０００３】
【発明が解決しようとする課題】
本発明は、情報の親展性を高めると共に間違つた開封を防止した見開き葉書を提供することである。
【０００４】
【課題を解決するための手段】
上紙片と下紙片とが折目線を介して連接された紙片を前記折目線にて２つ折りして前記上紙片と前記下紙片とを剥離可能に接着して形成された見開き葉書において、前記下紙片の前記折目線と対向する端縁に沿つて前記端縁より所定距離内側の位置に複数の切込が形成されると共に、前記切込が形成された領域の内側が開封線とされていることを特徴とする見開き葉書である。この場合、見開き葉書を故意に剥離して開こうとしても、下紙片の折目線と対向する端縁に形成された切込から下紙片が破断してしまい見開くことができないので、情報の親展性が確保される。
【０００５】
前記開封線が前記下紙片に形成された開封用ミシン目であることを特徴とする上記の見開き葉書である。この場合、開封用ミシン目に沿つて下紙片を引き裂いて剥離することにより鋏等を使用せずに容易に見開くことができる。
【０００６】
上紙片と中紙片と下紙片とがそれぞれ折目線を介して連接された紙片を前記折目線にてＺ状に３つ折りして前記上紙片と前記中紙片間ないし前記中紙片と前記下紙片間の少なくとも一方を剥離可能に接着して形成された見開き葉書において、前記上紙片ないし前記下紙片の少なくとも一方の紙片の前記折目線と対向する端縁に沿つて前記端縁より所定距離内側の位置に複数の切込が形成されると共に、前記切込が形成された領域の内側に開封用ミシン目が形成されていることを特徴とする見開き葉書である。この場合、上紙片ないし下紙片から見開き葉書を故意に剥離して開こうとしても、上紙片ないし下紙片の折目線と対向する端縁に形成された切込から破断して見開くことができないので、情報の親展性が確保される。
【０００７】
複数の前記切込が紙片の重合面側から形成されたハーフカツトであることを特徴とする上記の見開き葉書である。この場合、切込を形成しても見開き葉書の外観が損なわれることがない。
【０００８】
【発明の実施の形態】
図１は本第１発明の見開き葉書の実施例を示す（イ）は平面図で（ロ）は底面図であり、図２は図１に示す見開き葉書の開いた状態を示す平面図であり、図３は図１に示す見開き葉書を開封線にてカツトして見開く状態を示す図であり、図４は本第１発明の見開き葉書の他の実施例を示す（イ）は平面図（ロ）は底面図であり、図５は図４に示す見開き葉書を開封用ミシン目にて見開く状態を示す図であり、図６は本第２発明の見開き葉書の実施例を示す（イ）は平面図で（ロ）は底面図であり、図７は図６に示す見開き葉書を展開した状態の（イ）は表面を示す図で（ロ）は裏面を示す図であり、図８は本第２発明の見開き葉書の他の実施例の展開した状態の平面図であり、１は上紙片、２は下紙片、３は切込、４は開封線、4aは開封用ミシン目、５は折目線、６は剥離開始端、７はベタ印刷部、８は網点印刷部、９は中紙片をそれぞれ表す。
【０００９】
本第１発明の見開き葉書の実施例は図１に示す通りであり、図１（イ）に示すように、上紙片１と下紙片２とを折目線５にて２つ折りして剥離可能に接着されると共に折目線５と対向する側端に沿つて開封線４が設けられている。裏面の形状は図１（ロ）に示すように、折目線５と対向する下紙片２の側端部に複数の切込３が形成され、切込３が形成された領域の内側には開封線４が設けられ、開封線４の下部には切欠により剥離開始端６が設けられた形状である。複数の切込３が形成された領域において上紙片１と下紙片２とが接着されているので、下紙片２の側端縁から剥離しようとしても、下紙片２が切込３の部分から破れてしまい剥離できない。本実施例の見開き葉書を見開くには、鋏等を使用して切込３が形成された領域を開封線４に沿つて切り取り、剥離開始端６から下紙片２を上紙片１から剥離する。
【００１０】
図１に示す見開き葉書を開いた状態は図２に示すように、上紙片１と下紙片２とが折目線５にて連接されてなり、下紙片２の折目線５と対向する側端部に沿つて複数の切込３が形成されると共に、切込３が形成された領域の内側は開封線４とされ、開封線４の下部には切欠により剥離開始端６が形成されている。上紙片１と下紙片２との切取線４より内側には全面に網点印刷部８が形成され、上紙片１と下紙片２とを２つ折りした状態で剥離開始端６と対向する領域にはベタ印刷部７が設けられている。網点印刷部８ないしはベタ印刷部７をオフセツトインキ等により印刷して形成することにより、オフセツトインキと葉書基材に塗布されている感圧接着剤とが接着しないため、網点印刷部８においては接着強度は弱くなると共にベタ印刷部７においては殆ど接着しなくなるために、下紙片２を容易に剥離させることができる。切込３は貫通した切目により形成してもよいがその場合には切目が表面に現れて外観が良くないので、裏面即ち重合面からのハーフカツトにより切込３を形成するのが好ましい。切込３の形状や数は任意であり、下紙片を剥離しようとした際に端部が破断してしまうものであればよい。
【００１１】
図１に示す見開き葉書を見開く際には、図３に示すように、開封線４に沿つて切込３が形成された領域の上紙片１と下紙片２を鋏等により切取り除去してから、剥離開始端６を摘んで下紙片２を引き剥がすことにより見開くことができる。剥離開始端６の領域にはベタ印刷層７が形成されているので上紙片１と下紙片２は殆ど接着しておらず容易に剥離できる。網点印刷部８が形成されている領域では上紙片１と下紙片２の接着が弱くなつているので容易に剥離できる。
【００１２】
本第１発明の見開き葉書の他の実施例は図４に示す通りであり、図４（イ）に示すように、上紙片１と下紙片２とを折目線５にて２つ折りして剥離可能に接着された構成である。裏面の形状は図４（ロ）に示すように、折目線５と対向する下紙片２の側端部に複数の切込３が形成され、切込３が形成された領域の内側に開封用ミシン目4aが形成されると共に開封用ミシン目4aの下部には切欠により剥離開始端６が設けられた形状である。多数の細かい切込３が形成された領域において上紙片１と下紙片２とが接着されているので、下紙片２の端縁から剥離しようとしても、下紙片２が切込３の部分から破れてしまい剥離できないのは図１に示す見開き葉書の場合と同様である。本実施例の見開き葉書を開封する際には、剥離開始端６を摘んで開封用ミシン目4aを引き破りながら下紙片２を剥離することにより見開くことができる。
【００１３】
図４に示す見開き葉書を見開く際には、図５に示すように、下紙片２の剥離開始端６を摘んで、開封用ミシン目4aにて下紙片２を引き裂きながら、上紙片から引き剥がすことにより見開くことができる。第１実施例と同様に剥離開始端６と重合する領域にはベタ印刷層７が形成されおり、ベタ印刷層７のある部分では上紙片１と下紙片２が殆ど接着していないため容易に剥離できる。
【００１４】
本第２発明の見開き葉書の実施例は図６に示すように、葉書より狭幅の上紙片１と郵便はがきの表示が施されて葉書本体とされた中紙片９と下紙片２とを折目線５にてＺ状に３つ折りして各紙片間の重合する面を剥離可能に接着した構成であつて、表面は図６（イ）に示すように、中紙片９より狭幅の上紙片１が中紙片９の上に折り重ねられて剥離可能に接着されると共に、折目線５と対向する上紙片１の側端部に複数の切込３が形成され、切込３が形成された領域の内側に開封用ミシン目4aが形成されると共に開封用ミシン目4aの下部には切欠により剥離開始端６が設けられている。裏面は図６（ロ）に示すように、下紙片２を折目線５にて折り曲げて中紙片９の上に剥離可能に接着されると共に、折目線５と対向する下紙片２の側端部に複数の切込３が形成され、切込３が形成された領域の内側に開封用ミシン目4aが形成されると共に開封用ミシン目4aの下部には切欠により剥離開始端６が設けられた形状である。
【００１５】
本実施例においては、上紙片１および下紙片２の側端部の複数の切込３が形成された領域にて、それぞれ中紙片９の上下面に接着されているので、上紙片１ないし下紙片２の折目線５と対向する端縁から剥離しようとしても、切込３の部分から上紙片１ないし下紙片２が破れてしまうので剥離することができない。本実施例の見開き葉書は、上紙片１および下紙片２に設けられた剥離開始端６を摘んで上紙片１および下紙片２を開封用ミシン目4aにて引き裂きながら中紙片９から剥離することにより見開くことができる。
【００１６】
図６に示す見開き葉書を展開した状態は、図７に示すように、葉書より狭幅の上紙片１と葉書本体となる中紙片９と下紙片２とが折目線５にてそれぞれ連接された紙片からなり、折目線５と対向する上紙片１および下紙片２の側端部には複数の切込３が形成され、切込３が形成された領域の内側に開封用ミシン目4aが形成されると共に開封用ミシン目4aの下部には切欠により剥離開始端６が設けられている。
【００１７】
展開した表面は図７（イ）に示すように、中紙片９の下紙片２に隣接する側端縁部には郵便はがきの表示が施されていると共に、上紙片１の開封用ミシン目4aより内側の領域および、上紙片１が折り重ねられたときに上紙片１の開封用ミシン目4aより内側の領域と対向する中紙片９の領域に網点印刷部８が形成されると共に上紙片１の剥離開始端６と対向する領域にベタ印刷部７が形成されている。展開した裏面は図７（ロ）に示すように、下紙片２の開封用ミシン目4aより内側の領域および、上紙片１が折り重ねられたときに下紙片２の開封用ミシン目4aより内側の領域と対向する中紙片９の領域に網点印刷部８が形成されると共に下紙片２の剥離開始端６と対向する領域にベタ印刷部７が形成されている。
【００１８】
本第２発明の見開き葉書の他の実施例は、中紙片９と下紙片２間が剥離可能に接着されると共に上紙片１と中紙片９間は剥離不能に強く接着された構成の見開き葉書であつて、その展開した状態の表面は図８は示すように、上紙片１と中紙片９と下紙片２とがそれぞれ折目線５にて連接され、折目線５と対向する下紙片２の側端部に沿つて複数の切込３が形成され、切込３が形成された領域の内側に開封用ミシン目4aが形成され、開封用ミシン目4aの下部には切欠により剥離開始端６が形成されており、下紙片２の開封用ミシン目4aより内側の領域およびその領域と重合する中紙片９面に網点印刷部８が形成されると共に中紙片９の剥離開始端６と重合する領域にベタ印刷層７が設けられている。本実施例の見開き葉書についても、下紙片２の開封開始端６を摘んで、開封用ミシン目4aにて下紙片２を引き裂きながら見開くことができる。故意に下紙片２の端縁から剥がそうとしても切込３の部分から破断して剥離することができない。
【００１９】
図８に示す紙片からなる見開き葉書は、上紙片１と中紙片９間は剥離して見開かない構成であるが、誤つて上紙片１と中紙片９間が剥離されるのを防止するために、上紙片１の折目線５と対向す端縁部ないしはその端縁部と重合する中紙片９面に切込を設けるようにしてもよい。
【００２０】
【発明の効果】
２つ折りないしはＺ状に３つ折りして形成される見開き葉書において、剥離する紙片の折目線と対向する端縁に沿つて複数の切込を形成すると共に切込が形成された領域の内側を切取線とした構成の見開き葉書であるので、剥離する紙片の折目線と対向する端縁から故意に剥離して開こうとした場合でも、切込が形成された部分から紙片が破断して見開くことができないので、間違つた開封を防止することができ親展性を確保することができる。
【図面の簡単な説明】
【図１】本第１発明の見開き葉書の実施例を示すもので、（イ）は平面図、（ロ）は底面図である。
【図２】図１に示す見開き葉書の開いた状態を示す平面図である。
【図３】図１に示す見開き葉書を開封線にてカツトして見開く状態を示す図である。
【図４】本第１発明の見開き葉書の他の実施例を示すもので、（イ）は平面図、（ロ）は底面図である。
【図５】図４に示す見開き葉書を開封用ミシン目にて見開く状態を示す図である。
【図６】本第２発明の見開き葉書の実施例を示すもので、（イ）は平面図、（ロ）は底面図である。
【図７】図６に示す見開き葉書を展開した状態の（イ）は表面を示す図であり（ロ）は裏面を示す図である。
【図８】本第２発明の見開き葉書の他の実施例の展開した状態の平面図である。
【符号の説明】
１  上紙片
２  下紙片
３  切込
４  開封線
4a  開封用ミシン目
５  折目線
６  剥離開始端
７  ベタ印刷部
８  網点印刷部
９  中紙片
【図１】
0003701366.tif 000002
【図２】
0003701366.tif 000003
【図３】
0003701366.tif 000004
【図４】
0003701366.tif 000005
【図５】
0003701366.tif 000006
【図８】
0003701366.tif 000007
【図６】
0003701366.tif 000008
【図７】
0003701366.tif 000009